(57)【要約】【課題】チャットで投稿された情報から特定の情報を選択し知識として蓄積することのできるクライアントシステムを提供する。【解決手段】チャット投稿領域７２の表示エリア７２Ｓ１〜７２Ｓ６に表示されている文章毎に、文章選択指定領域７２Ｐ１〜７２Ｐ６を表示し、知識化して保存することを欲する文章毎に文章選択指定領域７２Ｐ１〜７２Ｐ６にチェックを入れることで、知識化する文章を選択する。選択さたれた文章群は、知識化情報としてサーバ２に蓄積され、複数のチャットルームで、知識化された情報を閲覧可能とすることで、知識の共有化を図ることができる。【選択図】図８
2018055385.tif 000002
【特許請求の範囲】
【請求項１】
通信ネットワークを介して相互に接続されたクライアントシステムであって、
画像を表示する画面を有する表示手段と、
画面上の入力領域に情報を入力する入力手段と、
前記表示手段に表示される情報をサーバから受信する受信手段と、
前記入力手段により入力された文章情報をサーバに送信する送信手段と、
予め特定されているクライアントシステムから送信された文章情報を取得する文章情報取得手段とを備え、
前記表示手段に表示される画像は、
前記予め特定されている構成メンバのクライアントシステムから送信された文章情報を、所定の順番で整理して表示する文章情報表示領域と、
前記入力手段によって入力された情報が表示される入力領域と、
前記文章情報表示領域に表示された複数の文章情報から所望の文章情報を選択するための選択画面を呼び出すための選択画面呼出指定領域とを備え、
前記選択画面呼出指定領域が指定された場合には、表示された各文章情報に関連付けて各々表示される文章選択指定領域と、前記文章選択指定領域が指定された文章情報の指定を確定する文章指定確定指示領域とが表示された文章選択表示領域を表示する文章選択領域表示手段と、
前記文章指定確定指示領域が指定された場合には、文章選択指定領域が指定された文章情報を知識化情報としてメモリに記憶する知識化情報蓄積手段とを有するクライアントシステム。
【請求項２】
前記表示手段に表示される画像は、
さらに、知識化情報呼出指定領域を有し、
知識化情報呼出指定領域が指定された場合には、
メモリに記憶されている知識化情報のリストを表示する知識化情報リスト表示領域と、知識化情報リスト表示領域にリスト表示されている各知識化情報に関連付けて各々表示される知識化情報選択指定領域とを含むリスト表示領域を表示するリスト表示領域表示手段と、
知識化情報選択指定領域が指定された場合には、選択された知識化情報をメモリから取得する知識化情報取得手段とを有する請求項１に記載のクライアントシステム。
【請求項３】
前記表示手段に表示される画像は、
知識化情報取得手段で取得した知識化情報を格納する場所のリストの表示を指示する格納リスト表示指示領域を備え、
格納リスト表示指示領域が指定された場合には、知識化情報を格納する場所のリストが表示された格納リスト表示領域と、各格納場所に関連付けて各々表示される格納場所選択指定領域とを含む格納場所表示領域を表示する格納場所表示領域表示手段と、
格納場所選択指定領域が指定された場合には、指定された格納場所に知識化情報取得手段で取得した知識化情報を格納する知識化情報格納手段とを有する請求項２に記載のクライアントシステム。
【請求項４】
格納リスト表示指示領域に表示される格納場所には、前記文章情報表示領域が含まれ、
文章情報表示領域が格納場所として選択された場合には、文章情報表示領域内に選択された知識化情報が含まれる知識化情報表示領域を表示する知識化情報表示手段を有する請求項３に記載のクライアントシステム。
【請求項５】
文章情報表示領域に表示された知識化情報表示領域は、知識化情報を構成する文章情報の送信者を表示する送信者表示領域と、表示された文章情報に関連付けて表示される文章情報指定領域とを備え、
文章情報指定領域が指定された場合には、その指定された文章情報を送信した送信者に対して、文章情報指定領域を指定した指定者が存在する旨の通知する指定通知手段を有する請求項４に記載のクライアントシステム。
【請求項６】
文章情報表示領域に表示された知識化情報表示領域は、知識化情報を構成する文章情報の送信者を表示する送信者表示領域と、表示された文章情報に関連付けて表示される文章情報指定領域とを備え、
文章情報指定領域が指定された場合には、その指定された文章情報を送信した送信者と、文章情報指定領域を指定した指定者とを構成メンバとする文章情報表示領域を表示する文章情報表示領域表示手段と、
指定された文章情報の送信者に、構成メンバとして指定された旨を通知をする通知手段とを有する請求項４に記載のクライアントシステム。
【請求項７】
さらに、指定された文章情報を送信した送信者以外で、知識化情報表示領域に表示された知識化情報を構成する文章情報の送信者にも、構成メンバとして参加を促す旨を通知する参加通知手段を有する請求項６に記載のクライアントシステム。
【請求項８】
構成メンバの参加を促す通知を受け取った被通知者から参加を承諾する旨の回答を受けた場合には、回答者を文章情報表示領域に文章情報を送信できる構成メンバとして加える構成メンバ追加手段とを有する請求項７に記載のクライアントシステム。
【発明の詳細な説明】
【技術分野】
【０００１】
この発明は、クライアントシステムに係り、詳しくはチャットの媒体となるクライアントシステムに関するものである。
【背景技術】
【０００２】
コンピュータネットワーク上のデータ通信回線を利用したリアルタイムコミュニケーションの方法として、チャットが利用されている。また、チャットは、会社など閉じられた領域内で使用する場合、セキュリティのレベルを電子メールなどよりも高くすることができるので、社内会議などにおいて好んで使われるようになっている。
【先行技術文献】
【特許文献】
【０００３】
【特許文献１】特開２００１−３５０７４９号
【発明の概要】
【発明が解決しようとする課題】
【０００４】
チャットにおいて、多数投稿される文書は、時系列で順に表示されるが、端末として使用されているパソコンやタブレットの表示画面内には、すべてを表示することは困難である。画面に表示されるのは、直前に投稿された文書となるため、会議が進行するに従って、過去に投稿された文書は画面から消えていき、同じ画面上で確認することが難しくなる。また、会議が終了した後に、投稿された文書を確認するために、画面をスライドさせることはできるが、所望の文書を探し出すために時間が掛かってしまうといった問題もある。
【０００５】
また、会議中に投稿された文書の中には、後に知識化して他の部署や、広く社内に周知させることが必要な情報も存在する。
【０００６】
この発明は、チャットで投稿された情報から特定の情報を選択し知識として蓄積することのできるクライアントシステムを提供することを目的とするものである。
【課題を解決するための手段】
【０００７】
以上のような問題を解決する本発明は、以下の構成を有する。
（１）通信ネットワークを介してサーバに接続されたクライアントシステムであって、
画像を表示する画面を有する表示手段と、
画面上の入力領域に情報を入力する入力手段と、
前記表示手段に表示される情報をサーバから受信する受信手段と、
前記入力手段により入力された文章情報をサーバに送信する送信手段と、
予め特定されているクライアントシステムから送信された文章情報を取得する文章情報取得手段とを備え、
前記表示手段に表示される画像は、
前記予め特定されている構成メンバのクライアントシステムから送信された文章情報を、所定の順番で整理して表示する文章情報表示領域と、
前記入力手段によって入力された情報が表示される入力領域と、
前記文章情報表示領域に表示された複数の文章情報から所望の文章情報を選択するための選択画面を呼び出すための選択画面呼出指定領域とを備え、
前記選択画面呼出指定領域が指定された場合には、表示された各文章情報に関連付けて各々表示される文章選択指定領域と、前記文章選択指定領域が指定された文章情報の指定を確定する文章指定確定指示領域とが表示された文章選択表示領域を表示する文章選択領域表示手段と、
前記文章指定確定指示領域が指定された場合には、文章選択指定領域が指定された文章情報を知識化情報としてメモリに記憶する知識化情報蓄積手段とを有するクライアントシステム。
【０００８】
（２）前記表示手段に表示される画像は、
さらに、知識化情報呼出指定領域を有し、
知識化情報呼出指定領域が指定された場合には、
メモリに記憶されている知識化情報のリストを表示する知識化情報リスト表示領域と、知識化情報リスト表示領域にリスト表示されている各知識化情報に関連付けて各々表示される知識化情報選択指定領域とを含むリスト表示領域を表示するリスト表示領域表示手段と、
知識化情報選択指定領域が指定された場合には、選択された知識化情報をメモリから取得する知識化情報取得手段とを有する上記（１）に記載のクライアントシステム。
【０００９】
（３）前記表示手段に表示される画像は、
知識化情報取得手段で取得した知識化情報を格納する場所のリストの表示を指示する格納リスト表示指示領域を備え、
格納リスト表示指示領域が指定された場合には、知識化情報を格納する場所のリストが表示された格納リスト表示領域と、各格納場所に関連付けて各々表示される格納場所選択指定領域とを含む格納場所表示領域を表示する格納場所表示領域表示手段と、
格納場所選択指定領域が指定された場合には、指定された格納場所に知識化情報取得手段で取得した知識化情報を格納する知識化情報格納手段とを有する上記（２）に記載のクライアントシステム。
【００１０】
（４）格納リスト表示指示領域に表示される格納場所には、前記文章情報表示領域が含まれ、
文章情報表示領域が格納場所として選択された場合には、文章情報表示領域内に選択された知識化情報が含まれる知識化情報表示領域を表示する知識化情報表示手段を有する上記（３）に記載のクライアントシステム。
【００１１】
（５）文章情報表示領域に表示された知識化情報表示領域は、知識化情報を構成する文章情報の送信者を表示する送信者表示領域と、表示された文章情報に関連付けて表示される文章情報指定領域とを備え、
文章情報指定領域が指定された場合には、その指定された文章情報を送信した送信者に対して、文章情報指定領域を指定した指定者が存在する旨の通知する指定通知手段を有する上記（４）に記載のクライアントシステム。
【００１２】
（６）文章情報表示領域に表示された知識化情報表示領域は、知識化情報を構成する文章情報の送信者を表示する送信者表示領域と、表示された文章情報に関連付けて表示される文章情報指定領域とを備え、
文章情報指定領域が指定された場合には、その指定された文章情報を送信した送信者と、文章情報指定領域を指定した指定者とを構成メンバとする文章情報表示領域を表示する文章情報表示領域表示手段と、
指定された文章情報の送信者に、構成メンバとして指定された旨を通知する通知手段とを有する上記（４）に記載のクライアントシステム。
【００１３】
（７）さらに、指定された文章情報を送信した送信者以外で、知識化情報表示領域に表示された知識化情報を構成する文章情報の送信者にも、構成メンバとして参加を促す旨を通知する参加通知手段を有する上記（６）に記載のクライアントシステム。
【００１４】
（８）構成メンバの参加を促す通知を受け取った被通知者から参加を承諾する旨の回答を受けた場合には、回答者を文章情報表示領域に文章情報を送信できる構成メンバとして加える構成メンバ追加手段とを有する上記（７）に記載のクライアントシステム。
【発明の効果】
【００１５】
請求項１に記載の発明によれば、複数構成メンバから送信された文章情報について、画面上で情報を交換しつつ、知識化できる内容を適宜選択して保存しておくことができるので、構成メンバ以外の者にも情報の共有を図ることができる。
請求項２に記載の発明によれば、蓄積されている知識化情報をリスト表示することによって、容易に知識化情報を選択することができる。
【００１６】
請求項３に記載の発明によれば、知識化情報を所望の場所に格納可能とすることによって、蓄積された知識化情報を容易に広く活用することができる。
請求項４に記載の発明によれば、文章情報表示領域に知識化情報を格納することができるので、他の構成メンバによる意見交換の場において、有効に知識化情報を活用することができる。
【００１７】
請求項５に記載の発明によれば、知識化情報を投稿した投稿者に対して、その文章情報を指定することで、直接通知することができるので、指定者と投稿者との間で、直接意見交換できる機会を作ることができる。
請求項６に記載の発明によれば、蓄積されている知識化情報を起点として、更に文章情報表示領域を生成することができるので、知識化情報を構成する文章情報の送信者に対して直接情報のやり取りができ、情報の内容を一層深めることができる。
【００１８】
請求項７に記載の発明によれば、文章情報表示領域を新たに生成するにあたり、起点となる知識化情報を構成した他のメンバに対して、構成メンバとして参加する機会が与えられるので、より有意義な情報を構築できる可能性が生じる。
請求項８に記載の発明によれば、参加承諾の通知を受け取ることで、構成メンバの参加の確認が容易となる。
【図面の簡単な説明】
【００１９】
【図１】チャットシステムの構成を示すブロック図である。
【図２】サーバの構成を示すブロック図である。
【図３】記憶部の構成を示すブロック図である。
【図４】クライアントシステムの構成を示すブロック図である。
【図５】クライアントシステムの動作を示すフローチャートである。
【図６】サーバの動作を示すフローチャートである。
【図７】ウェブページを示す図である。
【図８】ウェブページを示す図である。
【図９】ウェブページを示す図である。
【図１０】ウェブページを示す図である。
【図１１】ウェブページを示す図である。
【図１２】ウェブページを示す図である。
【図１３】ウェブページを示す図である。
【図１４】ウェブページを示す図である。
【図１５】ウェブページを示す図である。
【発明を実施するための形態】
【００２０】
以下、本発明のチットシステム１について添付図面に基づいて詳述する。図１に示されているように、本発明のチャットシステム１は、サーバ２と、サーバ２にインターネットなどで代表される通信ネットワークＮeを介して接続された複数のクライアントシステム２１ａ、２２a、・・・２ｎaとを備えている。
【００２１】
図２に示されているように、サーバ２は、端末の有するブラウザによって閲覧されるウェブページ情報が格納されているウェブページ情報記憶部３１と、予め登録された登録者に関する情報を記憶する登録者情報記憶部３２と、チャット情報記憶部３３とを有し、更に、サーバ２と各端末との通信を行う通信手段４１と、表示手段４２と、入力手段４３と、記憶手段４４と、制御手段４５とを備えている。
ウェブページ情報記憶部３１は、例えばＨＴＭＬ言語で構成されたデータを記憶しており、クライアントシステムの表示手段で表示されるウェブページの画像情報が記憶されている。
【００２２】
チャットシステムのウェブページは、図７に示されていように、中央のチャット投稿領域７２、左側のチャットルームリスト表示利用域７１、右側のチャットメンバー表示領域７３に分割されている。中央のチャット投稿領域７２には、チャットルームタイトル表示領域７２１と、投稿文章を時系列で表示する文章情報表示領域７２２、文章入力領域７２３と、投稿された文章を知識化すための選択画面を表示するための選択開始ボタンＢ０とを有している。
【００２３】
登録者情報記憶部３２は、予め登録された登録者に関する情報を、登録者毎に個別に記憶するファイルを備えている。この登録者に関する情報とは、登録者毎に個別に付与されたＩＤ番号、パスワード、バンドル名、メールアドレス、性別、年齢、職業、居住区域、会社員の場合には、所属部署などである。ＩＤ番号、パスワード、バンドル名、メールアドレスなどは、登録者を特定する識別情報として利用される。
【００２４】
通信手段４１は、例えば、ブラウザ情報、チャットルームで投稿された文章情報、知識化情報等を、クライアントシステム２１ａ、２２ａ、・・・２ｎａとの間で、送受信することができる。
表示手段４２は、例えば、液晶ディスプレイなどで構成することができ、入力手段４３での入力操作に基づいて入力された所定の情報や、入力用の画面等を表示し、またウェブページ情報などを表示することができる。
記憶手段４４は、後述する制御手段４５の処理プログラムや、処理に必要なデータを記憶しており、これらのプログラムやデータは、適宜制御手段４５へロードされ、或いはクライアントシステムへ供給される。
【００２５】
制御手段４５は、例えばＣＰＵ（Central  Processing  Unit）及び、ワーキングエリアとしてのＲＡＭなどにより構成することができ、記憶手段４４に記憶されているプログラム等を読み込んで実行することにより、各種機能を発揮する。
制御手段４５は、例えば、チャットルームで投稿された文章を投稿時刻に沿って配置し、知識化された情報について、関連があると予想される他の登録者を検索し、該登録者にタイトルを送信する等の処理を行う。
【００２６】
図３に示されているように、チャット情報記憶部３３は、複数のチャットルーム毎の情報を記憶したチャットルーム記憶部３３１１、３３１２、・・３３１ｎと、知識化情報を記憶した知識化情報記憶部３３２を備えている。チャットルーム記憶部３３１１、３３１２、・・・３３１ｎは、各チャットルームに参加した登録者の情報と、各登録者毎の投稿文章と、その投稿時刻を記憶する。知識化情報記憶部３３２は、各チャットルームで知識化情報としてアップロードされた知識化情報を、その知識化情報が共有されるチャットルーム、タイトル、知識化された文章情報を記憶する。
【００２７】
次にクライアントシステム２ｎａの構成について説明する。図４に示されているように、クライアントシステム２ｎａは、通信手段６１と、表示手段６２と、入力手段６３と、記憶手段６４と、制御手段６５とを備えている。通信手段６１は、サーバ２との間でブラウザ情報等を送受信することができ、受信手段及び送信手段として機能する。表示手段６２は、例えば液晶ディスプレイなどで構成される表示画面７０（図７）を有し、ウエブブラウザ６４１によってブラウズしたサーバ２のウェブページ情報記憶部３１に記憶されている情報(ＨＴＭＬファイル等)を表示する。
【００２８】
入力手段６３は、キーボード、マウスなどのポインティングディバイスなどを備え、表示手段６２に表示された入力用画面に文字データ等を入力、或いは所定のデータを選択するために用いられる。クライアントシステムが液晶表示画面にタッチパネルを重ねた構成を主たるユーザーインターフェイスデバイスとする多機能携帯電話（以下、「スマートデバイス」という。）である場合には、表示画面とタッチパネルによって入力手段が構成され、指やタッチペン等によって表示画面上の所望の位置を指定することにより、入力が行われる。
【００２９】
記憶手段６４は、後述する制御手段６５の処理プログラムや、処理に必要なデータ等を記憶しており、これらのプログラムやデータは、適宜制御手段６５へロードされる。記憶手段６４に記憶されている処理プログラムとてしは、ウエブブラウザ６４１や、その他のアプリケーションソフト６４２がある。アプリケーションソフトには、チャットプログラムも含まれる。この他、記憶手段６４には、チャットルームに投稿された文章情報や、知識化情報が記憶されていてもよい。この場合には、チャット構成メンバの投稿した文章情報等が、構成メンバの各クライアントシステムの記憶手段６４に、記憶されることとなる。
【００３０】
ウエブブラウザ６４１は、サーバ２のウェブページ情報記憶部３１に、ＨＴＭＬで記述されているデータを、ＨＴＴＰ(Hyper Text Transfer Protocol)を用いて読み出し、ＨＴＭＬコマンド／データを翻訳しながら文字やイメージ等の画像データの整形処理を行いクライアントシステム２nａの表示画面７０の表示区域内に表示する。このようにして表示される画面には、既述のチャット投稿領域７２、チャットルームリスト表示領域７１、チャットメンバー表示領域７３、チャットルームタイトル表示領域７２１、文章情報表示領域７２２、文章入力領域７２３とが含まれる。文章入力領域７２３には、入力された文章を確定して送信する送信ボタンＢＳ１と、他の情報（例えば、イメージデータ、ファイルデータ、知識化情報、スタンプ等）を挿入するための挿入ボタンＢＳ２が表示される。
【００３１】
制御手段６５は、例えばＣＰＵ（Central  Processing  Unit）及び、ワーキングエリアとしてのＲＡＭなどにより構成することができ、記憶手段６４に記憶されているプログラム等を読み込んで実行することにより、これらのプログラムの機能を実現する。即ち、記憶手段６４からウエブブラウザ６４１を読み込んで実行することで、既述のウエブブラウザ６４１の機能が実現され、ＨＴＭＬファイルの閲覧が行われる。
【００３２】
以上のように構成されたクライアントシステム２ｎａ及びサーバ２の動作について、図５、図６に示されているフローチャートに基づいて説明する。図５は、クライアントシステムの動作を示すフローチャートであり、図６は、サーバ２の動作を示すフローチャートである。クライアントシステムにおいてウエブブラウザソフト６４１を起動し（ステップＳ１０１）、サーバ２のウェブページ情報記憶部３１からＨＴＭＬファイルを取得しＩＤ、パスワードを入力するためのウェブページ(ウインドウ)を表示画面に表示する（ステップＳ１０３）。ＩＤの入力ボックスと、パスワードの入力ボックスに、予め登録されているＩＤと、パスワードの入力を確認する（ステップＳ１０５）。該、入力されたＩＤとパスワードは、登録者を特定するため情報として、サーバ２へ供給される（ステップＳ１０７）。同時に、チャットソフトを起動する(ステップＳ１０９)。
【００３３】
サーバ２では、クライアントシステム２１ａからＩＤとパスワードを取得すると（ステップＳ２０１）と、登録者情報記憶部３２に記憶されている登録者のデータファイルと照合し、記憶されているＩＤとパスワードの組み合わせと、供給されたＩＤとパスワードの組み合わせとを照合し、登録者を判別する（ステップＳ２０３）。登録者判別の後、チャットページデータを判別した登録者のクライアントシステムへ送信する(ステップＳ２０５)。ステップＳ２０５で、送信されるチャットページデータには、チャット画面を生成するためのデータの他、登録者から投稿された文書情報も含まれる。
【００３４】
クライアントシステムでは、チャットデータを受信すると(ステップＳ１１１)、表示画面７０に表示される画面情報が生成される。具体的には、画面の左側のチャットルーム表示領域７１、チャット投稿領域７２、チャットメンバー表示領域７３で画面が構成される（ステップＳ１１２）。チャットルーム表示領域７１には、チャットルームのリストが表示される。登録者は、該リストにカーソルを重ねてダブルクリックする等の操作(指定操作)により、入室する所望のチャットルームを選択することで、チャット投稿領域７２に、文書を入力する領域（入力領域）７２３が形成される。
チャット投稿領域７２には、文章情報表示領域７２２が設けられ、ステップＳ１１１で取得した文章情報を、投稿時刻に基づいて、上下方向に順に配置した画面情報を生成する（ステップＳ１１３）。配置された文章情報には、投稿元である投稿者の名前も表示される。
【００３５】
また、他のクライアントシステムからの登録者情報を特定する情報を受信した場合には、チャットメンバー表示領域７３に表示するチャットメンバーが加えられる。この実施形態では、チャットルームリストとして、「製品お問い合わせ」７１１、「マイルーム」７１２、「サポート対応共有」７１３が、リストに挙げられている。また、チャットメンバー表示領域７３には、「営業部  佐藤」７３１、「開発部  高橋」７３２がチャット構成メンバーとしてリストされており、本クライアントシステムの使用者は、「サポート  鈴木」となっている。ステップＳ１１２、Ｓ１１３で第１整理画面情報生成手段が構成される。
以上のようにして、図７に示されているように、表示画面７０にチャット画面が表示される(ステップＳ１１４)。
【００３６】
この文章入力領域７２３にテキストデータを入力し、実行キーが押されたか？判断し(ステップＳ１１５)、押された場合には、入力された文章をサーバ２へ送信する(ステップＳ１１６)。サーバ２では、文章情報がクライアントシステムから受信したか判断し(ステップＳ２０７)、受信した場合には、すべてのチャットメンバのクライアントシステムへ受信した文章情報と、その入力時刻を送信する(ステップＳ２０５)。
【００３７】
各クライアントシステムの表示画面７０では、チャット投稿領域７２に、文章情報表示領域７２２と、文章入力領域７２３が設けられている。文章情報表示領域である文章情報表示領域７２２には、上下方向に投稿された文章が表示され、表示される順番は投稿時刻に基づいて表示される。文章情報表示領域７２２には、投稿者毎に、表示エリア７２Ｓ１〜７２Ｓ６が割り振られ、それぞれのエリアには、投稿者名と、投稿時刻、文章情報である投稿文章が表示される。表示される順序は、投稿時刻に基づき、新しい投稿文章は、順に下側に表示される構成となっている。（表示順序は、新しい投稿文章が順に上側に表示する構成でも良い。）複数の投稿された文章情報と投稿者、投稿時刻が、同一の表示領域７２２内に表示されることによって、質問や、質問に対する回答など、投稿された文章相互の対応関係が把握し易く構成される。チャットルーム内で、登録者によって意見交換が行われる場合には、上記ステップＳ１１１〜Ｓ１１７が、各クライアントシステムにおいて、繰り返し実行される。文章情報取得手段がステップＳ１１１で構成される。上記の通り、各領域の割り振りと（ステップＳ１１２）、投稿された文章情報を投稿時刻順に整理して表示する処理（ステップＳ１１３）が行われる。ステップＳ１１３により、第１文章情報整理手段が構成される。
【００３８】
チャットの構成メンバは、投稿された文章の中から、知識化情報として抽出したい文章がある場合には、選択開始ボタンＢ０を押す。クライアントシステムは、選択ボタンＢ０が押されたか判断し(ステップＳ１１７)、押された場合には、第１整理画面情報である文章選択表示領域７Ｎ１を、文章情報表示領域７２２に重ねて表示する(ステップＳ１１９)。ステップＳ１１９で、文章選択領域表示手段と第１画面情報表示手段が構成される。
図８は、文章選択表示領域７Ｎ１が表示された状態を示すものである。文章選択表示領域７Ｎ１は、文章情報表示領域７２２に表示されていた各表示エリア７２Ｓ１〜７２Ｓ６に表示された文章情報を同様の順序で表示する選択用表示領域７２Ｑ１〜７２Ｑ６と、各選択用表示領域７２Ｑ１〜７２Ｑ６の右隅に、文章選択指定領域７２Ｐ１〜７２Ｐ６がそれぞれ表示され、さらに、文章選択表示領域７Ｎ１の上部には、「キャンセル」ボタンＢ２と、「次へ」ボタンＢ１が表示される。
【００３９】
選択画面呼出指定領域Ｂ０を押した登録者のクライアントシステムの表示画面にのみ、文章選択表示領域７Ｎ１が表示される。そして、知識化して保存することを欲する文章が記載された表示エリアの文章選択指定領域７２Ｐ１〜７２Ｐ６を押すことで、チェックマークが文章選択指定領域７２Ｐ１〜７２Ｐ６に表示される。この実施形態では、表示エリア７２Ｑ１、７２Ｑ５、７２Ｑ６の各指定領域７２Ｐ１、７２Ｐ５、７２Ｐ６にチェックが付けられている。
【００４０】
文章の選択が行われたのち、文章指定確定指示領域である「次へ」ボタンＢ1が押されたことが検出される(ステップＳ１２１)と、図９に示されているように、知識化情報確認領域７Ｎ２が表示される(ステップＳ１２３)。ステップＳ１２１で、第１選択指示検出手段が構成される。具体的には、選択された文章のみが表示される知識化情報確認領域７２Ｋ３と、知識化情報のタイトを入力するタイトル入力領域７２Ｋ１と、コメントを入力するコメント入力領域７２Ｋ２とが表示される。タイトル入力領域７２Ｋ１と、コメント入力領域７２Ｋ２には、任意のテキストデータの入力が可能となっている。また、左側のチャットルームリストにも、チェック欄を設けて、表示されている知識化情報を提供することを欲する他のチャットルームを指定する構成にすることもできる。ステップＳ１２３で第１知識化情報生成手段が構成される。
【００４１】
タイトルやコメントが入力領域に入力されたことを確認し(ステップＳ１２５)、
知識化情報確認領域７２Ｋ３に表示された文章と、ステップＳ１２５で取得したタイトルやコメントを、知識化情報としてサーバ２へ送信する(ステップＳ１２７)。或いは、クライアントシステム内の記憶手段６４に記憶する。このステップＳ１２７によって、知識化情報蓄積手段と第１知識化情報送信手段が構成される。
サーバ２では、知識化情報である選択文章やタイトルを受信した場合には(ステップＳ２０９)、受信した知識化情報を、知識化情報記憶部３３２に記憶する(ステップＳ２１１)。
【００４２】
次に、蓄積された知識化情報を、他のチャットルームに提供する場合について、説明する。図１０に示されているように、文章の投稿のために、文章入力領域７２３内の、挿入ボタンＢＳ２を押す。すると、挿入ボタンＢＳ２の近傍に選択指示領域ＷＮ１が表示される。選択指示領域ＷＮ１には、挿入する情報のリストが表示され、この実施例では、写真、ファイル、スタンプ、ナレッジと、表示されている。この各情報の表示部分が、同時に情報選択指定領域ＳＥ１、ＳＥ２、ＳＥ３、ＳＥ４となっており、これらの指定領域を押すことによって、各情報が選択される。これらの操作によって、この実施例では、ナレッジＳＥ４が、知識化情報を選択する選択指定領域となっており、同時に知識化情報呼出指定領域となっている。クライアントシステムは、指定領域ＳＥ４が押されることで、知識化情報のリストの要求があったものと判断し(ステップＳ１２９)、サーバ２に、知識化情報のリストの要求を行う(ステップＳ１３１)。
【００４３】
該要求に基づいて、サーバ２から知識化情報のリストが送信され、これを取得すると(ステップＳ１３３)、図１１に示されているように、画面に知識化情報のリストを表示するリスト表示領域７Ｎ３を表示する(ステップＳ１３５)。ステップＳ１３３で、知識化情報リスト取得手段が構成される。ステップＳ１３５で、リスト表示領域表示手段と知識化情報リスト表示手段が構成される。
サーバ２では、知識化情報リストの要求があるか否か判断し(ステップＳ２１３)、要求があった場合には、蓄積されている知識化情報のリストを作成する(ステップＳ２１５)。作成した知識化情報のリストは、要求の有ったクライアントシステムへ送信する(ステップＳ２１７)。
【００４４】
知識化情報リスト表示領域７Ｎ３は、蓄積されている知識化情報のタイトルリストが表示される知識化情報リスト表示領域Ｔｉ０と、タイトルリストから所望のタイトルを指定するための知識化情報選択指定領域ＢＳ００を有している。そいて、知識化情報リスト表示領域Ｔｉ０は、各知識化情報のタイトルが表示されるタイトル表示領域ＴＩ１、ＴＩ２、ＴＩ３で構成され、知識化情報選択指定領域ＢＳ００は、各タイトル表示領域に関連付けて各々設けられたタイトル指定領域（）ＢＳ３１、ＢＳ３２、ＢＳ３３で構成れる。タイトル指定領域ＢＳ３１、ＢＳ３２、ＢＳ３３のいずれかを選択することにより、その領域に関連付けられた知識化情報(この実施形態では、左側に位置するタイトルの知識化情報)が選択指示されたこととなる。同時に、選択した知識化情報の格納場所のリストが表示される格納場所表示領域が表示される。タイトル指定領域（情報選択指示領域）ＢＳ３１、ＢＳ３２、ＢＳ３３が格納リスト表示指示領域としても機能する。
【００４５】
例えば、一番上段に表示されるタイトル指示領域ＴＩ１の横に表示されたタイトル指定領域ＢＳ３１（図１１では図示外）にカーソルＰＤを重ねると、タイトル指定領域ＢＳ３１に重ねて、格納場所表示領域である選択指示領域ＷＮ２が表示される(ステップＳ１３６)。同時に、カーソルＰＤによって指定されなかったタイトル表示領域ＴＩ２、ＴＩ３とタイトル指定領域ＢＳ３２、ＢＳ３３の表示は半透明となる。ステップＳ１３６で、格納場所表示領域表示手段が構成される。
【００４６】
選択指示領域ＷＮ２には、知識化情報を投稿することを指示する「投稿」と表示された投稿指示領域ＳＥ５と、知識化情報をコピーすることを指示する「コピー」と表示されたコピー指示領域ＳＥ６とが含まれる。コピー指示領域ＳＥ６を押した場合には、指定された知識化情報は、コピーされてクリップボードに一時保存され、任意のフィールドに貼り付けられる。例えば、電子メールに貼り付け、構成メンバ全員に送信してもよい。上記、投稿指示領域ＳＥ５と、コピー指示領域ＳＥ６が格納場所表示領域として、同時に格納場所選択指定領域として機能する。
【００４７】
投稿指示領域ＳＥ５を押した場合には、知識化情報選択ありと判断し(ステップＳ１３７)、同時に知識化情報の格納先を決定する(ステップＳ１３９)。この実施形態では、格納先は表示されているチャットルームの文章情報表示領域７２２である。次に、指定された知識化情報を特定する特定情報を送信して、当該指定された知識化情報の要求をサーバ２に対して行う(ステップＳ１４１)。サーバ２は、クライアントシステムからの知識化情報の要求があった場合には（ステップＳ２１９）、受信した特定情報に基づいて指定された知識化情報を抽出し（これにより、知識化情報抽出手段が構成される。）、要求された指定された知識化情報を、要求のあったクライアントシステムに送信する（ステップＳ２２１）。ステップＳ１４１で特定情報送信手段が構成される。
【００４８】
クライアントシステムは、指定された知識化情報をサーバ２から取得する(ステップＳ１４３)と、ステップＳ１３９で取得した格納場所へ知識化情報を格納する(ステップＳ１４５)。上記ステップＳ１３７、Ｓ１４１、Ｓ１４３で、知識化情報取得手段が構成される。ステップＳ１４５で、知識化情報格納手段と知識化情報表示手段が構成される。ステップＳ１４３で、知識化情報受信手段が構成される。
【００４９】
図１２は、文章情報表示領域７２２に知識化情報のタイトルとコメントを含む知識化情報表示領域７５が設けられる。知識化情報表示領域７５が設けられる文章情報表示領域７２２は、知識化情報が生成された文章情報表示領域とは異なる構成メンバの表示領域である。このように、他の構成メンバのチャットルームに知識化情報を表示することによって、広く他のメンバに知識化情報を利用することができ、情報の有効活用が可能となる。
【００５０】
知識化情報表示領域７５には、詳細要求ボタン７５Ｔが含まれている。この詳細要求ボタン７５Ｔが押されると、詳細表示要求あり、と判断して(ステップＳ１４７)、図１３に示されているように、ステップＳ１４３で取得した知識化情報の詳細情報、すなわちステップＳ１２１で選択された文章情報を含む知識化情報を表示する知識化情報詳細表示領域７Ｎ４を、文章情報表示領域７２２に重ねて表示する(ステップＳ１４９)。なお、知識化情報表示領域７５には、知識化情報のタイトルとコメントのみでなく、知識化情報詳細表示領域７Ｎ４に表示される内容と同じ内容の情報が表示される構成としてもよい。
【００５１】
知識化情報詳細表示領域７Ｎ４は、知識化情報のタイトルが表示されるタイトル表示部７２Ｂ１、知識化情報のコメントが表示されるコメント表示部７２Ｂ２、知識化情報として選択された文章をそれぞれ表示する文章表示部７２Ｑ１、７２Ｑ５、７２Ｑ６、各文章表示部７２Ｑ１、７２Ｑ５、７２Ｑ６にそれぞれ隣接して、質問ボタン７２Ｕ１、７２Ｕ２、７２Ｕ３が設けられている。文章表示部７２Ｑ１、７２Ｑ５、７２Ｑ６には、それぞれ文章を投稿した投稿者の名前が表示される名前表示部７２Ａ１、７２Ａ２、７２Ａ３が表示される。名前表示部７２Ａ１、７２Ａ２、７２Ａ３によって、送信者表示領域と投稿元情報表示領域が構成される。質問ボタン７２Ｕ１、７２Ｕ２、７２Ｕ３によって、文章情報指定領域と投稿元指定領域が構成される。
【００５２】
表示されている知識化情報を構成するいずれかの文章情報について、質問や意見交換を欲する場合には、その文章情報に対応して設けられている質問ボタンを押す。
質問ボタン押された場合には(ステップＳ１５１)には、質問ボタンが押された文章情報を投稿した投稿者へ向けて、指定されたことを伝える通知を送信する（ステップＳ１５２）。この通知は、この実施形態では、サーバ２を介して、通知が投稿者へ送られる。通知の内容は、指定した投稿者の情報と、指定された文書情報の内容である。ステップＳ１５２によって指定通知手段と投稿元情報送信手段が構成される。この通知は、サーバ２を介さず、直接投稿者のクライアントシステムに送信してもよい。
【００５３】
ステップＳ１５２の後、図１４に示されているように、新画面で文章情報表示領域を生成し（この処理により投稿画面生成手段が構成される。）、生成された画面を表示する(ステップＳ１５３)。知識化情報詳細表示領域７Ｎ４に基づいて生成される文章情報表示領域７２２Ａは、上部に知識化情報詳細表示領域７Ｎ４で質問ボタン７２Ｕ２が押された文章表示部７２Ｑ５に記載されている文章が表示される。すなわち、知識化情報詳細表示領域７Ｎ４に含まれるタイトルが表示されるタイトル表示領域７２１Ａ、同じくコメントが表示されるコメント表示領域７２３Ａ、質問ボタンが押された文章が表示される質問対象文章表示領域７２４Ａが表示される。そして、その下側に、投稿される文章情報が順番に表示される文章表示領域７２２Ａが設けられる。この文章表示領域７２２Ａに表示されるのは、質問ボタン７２Ｕ２を押した投稿者からの文章７２５Ａが表示される。ステップＳ１５３によって、文章情報表示領域表示手段が構成される。
【００５４】
この文章情報表示領域７２２Ａのチャットルームの構成メンバは、質問ボタン７２Ｕ２の対応する文章を投稿した者と、質問ボタン７２Ｕ２を押した者が、最初の構成メンバとして決定される(ステップＳ１５５)。そして、同時に、質問ボタンが押された旨、およびステップＳ１５５で決定されたメンバの情報をサーバ２に送信する（ステップＳ１５６）。さらに構成メンバとして参加することが有意義な者を構成メンバ候補者として選出する。このような候補者としては、知識化情報を構成する文章を投稿した他の投稿者や、知識化情報が生成されたチャットルームを構成していたメンバなどがあげられる。或いは、参加の同意が得られなかった場合には、その構成メンバの上司や部下など、メンバと同じ部署の者としてもよい。質問ボタンが押された場合には、サーバ２は、メンバ候補者を選定する（ステップＳ２２５）。
【００５５】
サーバ２から選択された候補者にチャットへの参加を勧誘する通知を送信し（ステップＳ２２７）、同時に候補者リストをクライアントシステムへ送信する。この通知の送信は、例えば、電子メールで行う。具体的には、電子メールにアドレスが表示され、そのアドレスをクリックすると、図１４に示されている画面が表示される。そして左下に、表示されているチャットルームに入室する（参加する）か否か、を問う指定領域７１５が表示される。
ステップＳ２２７で、参加通知手段が構成される。
【００５６】
通知を受け取ったメンバ候補者は、既に生成された文章情報表示領域７２２Ａの内容を見ることができ、その内容を見て、参加するか否かを決定することができる。参加する場合には、指定領域７１５の「Ｙｅｓ」７１５ｙを押すことで、参加の回答とすることができ、「Ｎｏ」７１５ｎ押すことで、不参加とすることができる。サーバ２は、参加回答を受信すると（ステップＳ２２９）、チャットページデータを参加回答者に送信する（ステップＳ２３１）とともに、現在の構成メンバのクライアントシステムにメンバを加えたことを報告するデータを送る（ステップＳ２３３）。
【００５７】
クライアントシステムでは、サーバ２が決定した候補者リストを受信し（ステップＳ１５７）、参加回答があった場合には（ステップＳ１５９）、構成メンバリストに参加してきたメンバを追加する（ステップＳ１６１）。ステップＳ１５９、Ｓ１６１により、構成メンバ追加手段が構成される。
そして、各構成メンバの入力した文章は、投稿時刻に基づいて、文章情報表示領域７２２Ａ内に順次表示されていく。
以上のように、新たに生成された文章表示領域７２２Ａに投稿された文章から、さらに、ステップＳ１１７〜ステップＳ１２７の手順で、知識化情報を新たに作成し、登録させることができる。
【００５８】
図１５に示されているように、チャットルームで意見交換された内容から知識化情報を抽出でき、さらに、ステップＳ１５１〜Ｓ１６１で説明したように、抽出した知識化情報を起点としてさらにチャットルームを立ち上げて意見交換し、さらにその中から知識化情報を抽出できる。このような、意見交換の連鎖によって、より深く広く意見交換でき、洗練された知識化情報を取得することができる。例えば、チャットルームＣＨ１での意見交換に基づいて、２つの知識化情報ＱＥ１、ＱＥ３が抽出でき、さらに知識化情報ＱＥ１から、チャットルームＣＨ２が作られ、さらにそのチャットルームＣＨ２での文章情報から知識化情報ＱＥ２が抽出される。同様に、知識化情報ＱＥ３から、２つのチャットルームＣＨ３、ＣＨ４が立ち上がり、さらにチャットルームＣＨ３、ＣＨ４からそれぞれ知識化情報ＱＥ４、ＱＥ５が抽出される。例えば、知識化情報ＱＥ１から新たに生成されたチャットルームＣＨ２では、新たにステップＳ１１１〜Ｓ１６１とステップＳ２０５〜Ｓ２３３の処理が行われる。
【００５９】
このような知識化情報に基づいて生成されたチャットルームの処理において、ステップＳ１１３により、第２文章情報整理手段が構成される。文章選択表示領域７Ｎ１が第２整理画面情報を構成する。ステップＳ１１２、Ｓ１１３で第２整理画面情報生成手段が構成される。ステップＳ１１４により、第２整理画面情報表示手段が構成される。ステップＳ１２１で、第２選択指示検出手段が構成される。ステップＳ１２３で第２知識化情報生成手段が構成される。ステップＳ１２７によって、第２知識化情報送信手段が構成される。
【００６０】
また、ステップＳ２０７によって、文章情報受信手段が構成される。ステップＳ２０５によって、投稿情報送信手段が構成される。ステップＳ２０９によって、知識化情報受信手段が構成される。ステップＳ２１１によって、知識化情報記憶手段が構成される。ステップＳ２１７によって、リスト送信手段が構成される。ステップＳ２２１によって、知識化情報送信手段が構成される。
【００６１】
以上説明した本発明は、以下のような構成も有する。
［１］通信ネットワークを介して接続されるサーバに接続されたクライアントシステムであって、
画像を表示する画面を有する表示手段と、
画面上の入力領域に情報を入力する入力手段と、
前記表示手段に表示される情報をサーバから受信する受信手段と、
前記入力手段により入力された文章情報をサーバに送信する送信手段と、
予め特定されているクライアントシステムから送信された文章情報を取得する文章情報取得手段と、
前記文章情報取得手段で取得した文章情報を、投稿された時刻情報と投稿元情報とに基づいて整理する第１文章情報整理手段と、
前記第１文章情報整理手段に基づいて整理された文章情報をその投稿元情報とともに画面に表示し、かつ、表示された文章情報の選択を促すための選択指示領域が各文章情報毎に表示されている第１整理画面情報を生成する第１整理画面情報生成手段と、
第１整理画面情報生成手段で生成された第１整理画面情報を表示手段に表示する第１整理画面情報表示手段と、
前記第１整理画面情報が表示された画面上において、該選択指示領域が指定されたか否かを検出する第１選択指示検出手段と、
前記第１選択指示検出手段で検出された文章情報を知識化情報として生成する第１知識化情報生成手段と、
前記第１知識化情報生成手段で生成された知識化情報をサーバへ送信する第１知識化情報送信手段とを有するクライアントシステム。
【００６２】
［２］前記サーバから知識化情報のリストを取得する知識化情報リスト取得手段と、
前記知識化情報リスト取得手段で取得した知識化情報リストを情報選択指示領域を付して表示手段に表示する知識化情報リスト表示手段と、
前記情報選択指示領域を介して選択指示された知識化情報を特定する特定情報をサーバに送信する特定情報送信手段と、
サーバから特定情報に基づいて特定された知識化情報を受信する知識化情報受信手段と、
受信した知識化情報を表示する知識化情報表示領域を表示手段に表示する知識化情報表示手段とを備える上記［１］に記載のクライアントシステム。
【００６３】
［３］知識化情報表示領域は、知識化された情報を投稿した投稿元情報を表示する投稿元情報表示領域と、表示された投稿元情報を指定する投稿元指定領域とを備え、
投稿元指定領域で指定された投稿元情報をサーバへ送る投稿元情報送信手段と、
前記指定された投稿元を、投稿メンバに含む投稿画面を生成する投稿画面生成手段と、
投稿画面生成手段で生成された投稿画面を表示手段に表示する投稿画面表示手段とを有する上記［２］に記載のクライアントシステム。
【００６４】
［４］前記投稿画面に表示された最初の文章情報に基づいて投稿された文章情報を、投稿された時刻情報と投稿元情報とに基づいて整理する第２文章情報整理手段と、
前記第２文章情報整理手段に基づいて整理された文章情報をその投稿元情報とともに画面に表示し、かつ、表示された文章情報の選択を促すための選択指示領域が各文章情報毎に表示されている第２整理画面情報を生成する第２整理画面情報生成手段と、
第２整理画面情報生成手段で生成された第２整理画面情報を表示手段に表示する第２整理画面情報表示手段と、
前記第２整理画面情報が表示された画面上において、該選択指示領域が指定されたか否かを検出する第２選択指示検出手段と、
前記第２選択指示検出手段で検出された文章情報を知識化情報として生成する第２知識化情報生成手段と、
前記第２知識化情報生成手段で生成された知識化情報をサーバへ送信する第２知識化情報送信手段とを有する上記［３］に記載のクライアントシステム。
【００６５】
［５］  通信ネットワークを介して、複数のクライアントシステムと接続されるサーバであって、
予め特定された複数のクライアントシステムから文章情報を受信する文章情報受信手段と、
文章情報受信手段によって取得した文章情報を、投稿された時刻情報と投稿元情報とともに、前記予め特定されている複数のクライアントシステムに送信する投稿情報送信手段と、
前記特定のクライアントシステムで生成された知識化情報を受信する知識化情報受信手段と、
前記知識化情報受信手段で受信した知識化情報を、受信した知識化情報毎に記憶する知識化情報記憶手段と、
特定のクライアントシステムからリスト送信指示に基づいて、知識化情報記憶手段に記憶されている知識化情報のリスト情報を送信するリスト送信手段と、
特定のクライアントシステムから送信された特定情報に基づいて、特定情報によって特定された知識化情報を知識化情報記憶手段から抽出する知識化情報抽出手段と、
知識化情報抽出手段によって抽出された知識化情報を、予め特定された複数のクライアントシステムに送信する知識化情報送信手段とを有するサーバ。
【符号の説明】
【００６６】
１  チャットシステム
２  サーバ
２１ａ・・・２ｎａ  クライアントシステム
４１、６１  通信手段
４２、６２  表示手段
４３、６３  入力手段
４４、６４  記憶手段
４５、６５  制御手段
７０  表示画面
７１  チャットルームリスト表示領域
７２  チャット投稿領域
７３  チャットメンバー表示領域
７４  タイトルリスト表示領域
７２２  投稿文章表示領域
７２Ｓ１〜７２Ｓ６  表示エリア
７２Ｐ１〜７２Ｐ６  文書選択指定領域
【図１】
2018055385.tif 000003
【図２】
2018055385.tif 000004
【図３】
2018055385.tif 000005
【図４】
2018055385.tif 000006
【図５】
2018055385.tif 000007
【図６】
2018055385.tif 000008
【図７】
2018055385.tif 000009
【図８】
2018055385.tif 000010
【図９】
2018055385.tif 000011
【図１０】
2018055385.tif 000012
【図１１】
2018055385.tif 000013
【図１２】
2018055385.tif 000014
【図１３】
2018055385.tif 000015
【図１４】
2018055385.tif 000016
【図１５】
2018055385.tif 000017